(57)【特許請求の範囲】
【請求項１】
複数のパイプが互いに所定のクリアランスを存して入れ子式にスライド自在に嵌挿した伸縮自在なシャフトであって、前記複数のパイプの中、前記シャフトの最も内側のパイプを除いた各パイプの内径部にその長手方向に沿ってほぼ全長にわたって形成された凹溝と、前記複数のパイプの中、前記シャフトの最も外側のパイプを除いた各パイプの後方部分の外径部に設けられ、該各パイプの外側のパイプの内径部の凹溝に軸方向にスライド自在に嵌合する凸条と、前記最も外側のパイプを除いた各パイプの後方部分に形成された、該各パイプの軸方向に延び、該各パイプの外径よりも大径な外径を有する拡径管部と、前記最も内側のパイプを除いた各パイプの先端部に該先端部を絞って形成された係止部と、前記拡径管部に前記係止部と係合する位置に設けられたストッパー面とを備え、前記拡径管部の外周面に前記凸条を形成し、前記拡径管部の外周面を外側のパイプにスライド自在に密に嵌合したことを特徴とする折り畳み式洋傘用伸縮自在シャフト。
【発明の詳細な説明】
【技術分野】
【０００１】
本発明は、外観にスライド用ガイドが現れないようにした携帯用の折り畳み式洋傘に用いられる伸縮自在な多段式のシャフトに関する。
【背景技術】
【０００２】
従来の、外観にスライド用ガイドが現れないようにした折り畳み式洋傘に用いられる伸縮自在な多段式のシャフトは、シャフトを構成する各パイプの自由回転を防止するため、外側のパイプの各々の内径部に稜線を設け、内側のパイプの外周には、周囲段差と溝を設けている（例えば特許文献１参照）。パイプの内側に突起状の稜線を設け、内側のパイプの外周に周囲段差と溝を設ける構造は、パイプの表面に溝が現れるので見映えが悪くなるという問題点がある。また、パイプの内側に全長にわたって突起状の稜線を形成する構造は高精度が要求され、コスト高となるという問題点がある。
そこで、パイプの内側に突起状の稜線ではなく、凹溝を設けるようにし、また、パイプの表面に溝が見えないようにして上記問題点を解決した洋傘用伸縮自在シャフトが本件出願人によって開発された（特許文献２参照）。
【先行技術文献】
【特許文献】
【０００３】
【特許文献１】特開２００１−３５３０１２号公報
【特許文献２】特許第４５１６７６３号公報
【発明の概要】
【発明が解決しようとする課題】
【０００４】
上記特許文献２の入れ子式の複数のパイプからなる伸縮自在なシャフトは、伸長時のパイプの抜脱を防止するため、外側のパイプの先端を絞って係止部を設け、この係止部に内側のパイプに設けたストッパー用突起を当接させるようにしている。外側のパイプに係止用の絞りを形成すると、この絞りの開口部の径は、パイプの内径よりも小径となるため、この外側のパイプに絞りを介して嵌挿される内側のパイプの外径は、当然、外側のパイプの内径よりもその絞り分だけかなり小径となり、必然的に、両パイプ間にかなり大きなクリアランスが形成されてしまう。このクリアランスのため、両パイプを密に嵌挿させることができず、シャフトを伸長させたとき、シャフトの接合部にガタが生じ、接合部がグラついてしまうという問題点が生じる。
本発明は、上記問題点を解決することを目的とする。
【課題を解決するための手段】
【０００５】
上記目的を達成するため、本発明は、複数のパイプが互いに所定のクリアランスを存して入れ子式にスライド自在に嵌挿した伸縮自在なシャフトであって、前記複数のパイプの中、前記シャフトの最も内側のパイプを除いた各パイプの内径部にその長手方向に沿ってほぼ全長にわたって形成された凹溝と、前記複数のパイプの中、前記シャフトの最も外側のパイプを除いた各パイプの後方部分の外径部に設けられ、該各パイプの外側のパイプの内径部の凹溝に軸方向にスライド自在に嵌合する凸条と、前記最も外側のパイプを除いた各パイプの後方部分に形成された、該各パイプの軸方向に延び、該各パイプの外径よりも大径な外径を有する拡径管部と、前記最も内側のパイプを除いた各パイプの先端部に該先端部を絞って形成された係止部と、前記拡径管部に前記係止部と係合する位置に設けられたストッパー面とを備え、前記拡径管部の外周面に前記凸条を形成し、前記拡径管部の外周面を外側のパイプにスライド自在に密に嵌合したものである。
【発明の効果】
【０００６】
本発明は、上述の如く構成したので、伸縮自在シャフトを伸長した状態におけるシャフト接合部のガタを除去することができ、シャフトのグラツキを防止することができる。
【図面の簡単な説明】
【０００７】
【図１】本発明の係るシャフトの断面説明図である。
【図２】本発明に係るシャフトに使用されるパイプの正面図である。
【図３】パイプのＡーＡ線断面図である。
【図４】シャフトの説明的正面図である。
【図５】図２のＢ−Ｂ線断面図である。
【発明を実施するための形態】
【０００８】
以下に本発明の好適な実施の形態を添付した図面を参照して詳細に説明する。
図４は本発明に係る折り畳み式洋傘用の伸縮自在シャフト２の説明的正面図を示し、シャフト２は、複数の互いに径が異なり且つほぼ同長のパイプを、入れ子式にスライド自在に嵌合した多段式に構成されている。一番太い第１パイプ４の内径部に、第２のパイプ６がスライド自在に嵌合し、この第２のパイプ６の内径部に最も細い第３のパイプ８がスライド自在に嵌合している。
【０００９】
前記伸縮自在なシャフト２には、折り畳み式洋傘を構成するための骨格構成要素（図示省略）を介して取り付けられる。シャフト２を構成する各パイプ４，６，８は、ステンレス、アルミニウム、鉄、真鍮、その他の金属素材により構成されている。第３図及び第５図に示すように、パイプ４，６の内径部には、それぞれ長手方向に沿って平行に且つ長手方向全長にわたって、互いに円周方向に略１２０度の間隔を存して３本の凹溝１０，１２が穿設されている。
【００１０】
前記各凹溝１０，１２の断面形状は円弧状に形成され、なめらかな曲面を有している。前記第１のパイプ４の外周面は全長に亘って丸く即ち外周の断面形状が円形に形成されている。前記第２の及び第３のパイプ６，８の外周面は、シャフト２の伸長時において、外側のパイプによって隠れる所定長さの各後方部分を除いて、外側から見える部分Ｋが丸く形成され、該各パイプ６，８は、対応する外側のパイプ６，８に、所定のクリアランスを有してスライド自在に嵌挿されている。
【００１１】
前記パイプ６，８の真円部分Ｋの外周面と対応する外側のパイプ６，８の内周面との間には、約０，２mmのクリアランスが形成されている。前記第３のパイプ８以外の外側のパイプ４，６は先端を絞って係止部Ｓが形成され、シャフト２を伸長した際、外側のパイプ４，６の係止部Ｓに、内側のパイプ６，８の後方部分に形成されたストッパー面Ｔが衝突し、内側のパイプ６，８がそれぞれ対応する外側のパイプ４，６から外れないように構成されている。
【００１２】
前記内側のパイプ６，８の後方部分には、略２ｃｍの長さにわたって、拡径管部６ａ，８aが形成されている。該拡径管部６ａ,８ａと、真円外周部分Ｋとの境界に形成された段差がストッパー面Ｔを形成している。前記拡径管部６a，８aの外周面と、外側のパイプの内周面とは、拡径管部６a,８aと外側のパイプとの軸方向のスムーズな相対スライド移動を可能とする程度の微少なクリアランスを有して、略同径に設定されている。
【００１３】
前記拡径管部６a,８aの軸方向の長さは、本実施形態では２ｃｍに設定しているがシャフト２伸長時に、シャフト２の接続部がグラつかない程度の最適の値を実験的に求めることができる。前記拡径管部６a,８aの外周面には、図３、５に示すように各パイプ４，６の長手方向に対して平行に配置された所定長さの３本の凸条１４，１６が互いに円周方向に略１２０度の間隔を存して、拡径管部６a,８aの軸方向の全長に亘って突設されている。
【００１４】
前記各突条１４，１６の断面形状は、前記凹溝１０，１２の断面形状と略同一の円弧状に構成されている。また、前記凹溝１０，１２の断面形の寸法と、対応する突条１４，１６の断面形の寸法とは略同一に設定され、各突条１４，１６が対応する外側の凹溝１０，１２にスライド自在に嵌合できるように構成されている。前記外側のパイプ４，６の先端の近傍には円周方向に１８０度の間隔を存してそれぞれ一対のインデックス孔２０が形成されている。
【００１５】
また、内側のパイプ６，８の拡径管部６a,８aの管壁に、円周方向に１８０度の間隔を存してそれぞれ一対の貫通孔２２が形成されている。前記内側のパイプ６，８の内径部後方にはばね（図示省略）が屈曲配置され、これの両端に凸曲面を有する突起体（図示省略）が固着されている。前記突起体は、前記貫通孔２２に嵌合配置され、その先端凸曲面が前記貫通孔２２から所定量突出する方向に弾発されている。
【００１６】
上記した構成において、第１のパイプ４と第２のパイプ６は、第２のパイプ６の凸条１４が第１のパイプ４の内径部の凹溝１０にスライド自在に嵌合しているため、互いに、長手方向のみスライドが可能であり、第１のパイプ４に対して第２のパイプ６が相対回転する方向の移動が、凸条１４と凹溝１０の嵌合構造によって阻止される。第２のパイプ６と第３のパイプ８間の関係も上記第１のパイプ４と第２のパイプ６との関係と同様であり、互いの長手方向のスライド移動が可能であり、相対回転方向の移動が、外側のパイプの凹溝１２とこれに嵌合する内側のパイプの凸条１６によって阻止される。
【００１７】
前記シャフト２を伸長し前記外側のパイプ４，６の係止部Ｓ（図４参照）に前記内側のパイプ６，８のストッパー面Ｔが係止されたとき、丁度、内側のパイプ６，８の突起体が、外側のパイプ４，６の前記インデックス孔２０に嵌合し、前記内側と外側のパイプの相対的な長手方向の移動と周回転とがばねにより付勢された突起体により解除可能にロックされ、内側のパイプ６，８が対応する外側のパイプ４，６から簡単に外れたり、回転することがない。
【００１８】
また、この状態において、内側のパイプ６，８の拡径管部６a,８aの外周面は、対応する外側のパイプ４，６の先端近傍の内周面にガタのない状態で嵌合し、シャフト２が、パイプ接合部において、グラつくことがなく、シャフト２は、強固にその伸長状態が保持される。
【符号の説明】
【００１９】
２      シャフト
４      パイプ
６      パイプ
６a    拡径管部
８      パイプ
８a    拡径管部
１０    凹溝
１２    凹溝
１４    凸条
１６    凸条
２０    インデックス孔
２２    貫通孔
【図１】
0005529776.tif 000002
【図２】
0005529776.tif 000003
【図３】
0005529776.tif 000004
【図４】
0005529776.tif 000005
【図５】
0005529776.tif 000006